(57)【要約】【課題】  地域や業種・サービス別のホームページ検索を実施することができるホームページ検索装置を得ることを目的とする。【解決手段】  ユーザ端末２からホームページの検索条件として地域コードと分類コードが与えられると、データベース１４に格納されているウェブインデックスナンバーの中から、その地域コードと一致する地域コードが対応付けられており、かつ、その分類コードと一致する分類コードが対応付けられている全てのウェブインデックスナンバーを検索するウェブインデックスナンバー検索処理部１５と、ウェブインデックスナンバー検索処理部１５により検索された全てのウェブインデックスナンバーに対応付けられている個別コードをユーザ端末２に通知する個別コード通知処理部１６とを設ける。【選択図】図１
2009058984.tif 000002
【特許請求の範囲】
【請求項１】
ホームページが関連する地域を示す地域コードと上記ホームページを特定する個別コードの設定を受け付けるコード設定手段と、上記ホームページのＵＲＬを上記コード設定手段により設定が受け付けられた地域コード及び個別コードと対応付けて登録するＵＲＬ登録手段と、ユーザ端末からホームページの検索条件として地域コードが与えられると、上記ＵＲＬ登録手段によりＵＲＬが登録されているホームページの中から、上記地域コードと一致する地域コードが設定されている全てのホームページを検索し、上記全てのホームページの個別コードを上記ユーザ端末に通知する個別コード通知手段と、上記ユーザ端末から個別コードが与えられると、上記ＵＲＬ登録手段によりＵＲＬが登録されているホームページの中から、上記個別コードと一致する個別コードが設定されているホームページを検索し、上記ホームページのＵＲＬを上記ユーザ端末に通知するＵＲＬ通知手段とを備えたホームページ検索装置。
【請求項２】
ホームページが関連する業種又はサービスを示す分類コードと上記ホームページを特定する個別コードの設定を受け付けるコード設定手段と、上記ホームページのＵＲＬを上記コード設定手段により設定が受け付けられた分類コード及び個別コードと対応付けて登録するＵＲＬ登録手段と、ユーザ端末からホームページの検索条件として分類コードが与えられると、上記ＵＲＬ登録手段によりＵＲＬが登録されているホームページの中から、上記分類コードと一致する分類コードが設定されている全てのホームページを検索し、上記全てのホームページの個別コードを上記ユーザ端末に通知する個別コード通知手段と、上記ユーザ端末から個別コードが与えられると、上記ＵＲＬ登録手段によりＵＲＬが登録されているホームページの中から、上記個別コードと一致する個別コードが設定されているホームページを検索し、上記ホームページのＵＲＬを上記ユーザ端末に通知するＵＲＬ通知手段とを備えたホームページ検索装置。
【請求項３】
ホームページが関連する地域を示す地域コード、上記ホームページが関連する業種又はサービスを示す分類コード及び上記ホームページを特定する個別コードの設定を受け付けるコード設定手段と、上記ホームページのＵＲＬを上記コード設定手段により設定が受け付けられた地域コード、分類コード及び個別コードと対応付けて登録するＵＲＬ登録手段と、ユーザ端末からホームページの検索条件として地域コード及び分類コードが与えられると、上記ＵＲＬ登録手段によりＵＲＬが登録されているホームページの中から、上記地域コード及び分類コードと一致する地域コード及び分類コードが設定されている全てのホームページを検索し、上記全てのホームページの個別コードを上記ユーザ端末に通知する個別コード通知手段と、上記ユーザ端末から個別コードが与えられると、上記ＵＲＬ登録手段によりＵＲＬが登録されているホームページの中から、上記個別コードと一致する個別コードが設定されているホームページを検索し、上記ホームページのＵＲＬを上記ユーザ端末に通知するＵＲＬ通知手段とを備えたホームページ検索装置。
【請求項４】
個別コード通知手段は、全てのホームページの個別コードをユーザ端末に通知するに際して、上記全てのホームページの個別コードを一覧化して、任意の個別コードの選択を受け付ける選択受付画面の画面データを上記ユーザ端末に送信することを特徴とする請求項１から請求項３のうちのいずれか１項記載のホームページ検索装置。
【請求項５】
コード設定手段は、ホームページを特定する個別コードとして、上記ホームページを他のホームページと区別する数字、記号、画像又は音声信号の設定を受け付けることを特徴とする請求項１から請求項４のうちのいずれか１項記載のホームページ検索装置。
【発明の詳細な説明】
【技術分野】
【０００１】
この発明は、所望のホームページの検索を支援するホームページ検索装置に関するものである。
【背景技術】
【０００２】
例えば、ユーザが特定地域における特定の業種やサービスに関するホームページの閲覧を希望する場合、一般的には、ユーザが検索エンジンを利用して、当該ホームページを検索する必要がある。
即ち、ユーザは、インターネット上の検索エンジンに、当該ホームページの検索に使用するキーワードを適宜設定し、そのキーワードを含んでいるホームページの検索を試みるようにする。
【０００３】
検索エンジンにより検索されるホームページの数は、多数に上ることが多く、多くのホームページの中から、所望のホームページを見つけ出すのは、更に、適正なキーワードを追加して、再検索を試みる必要がある。
したがって、ユーザが所望のホームページを見つけ出すには、多くの手間と技術が要求される。
【０００４】
以下の特許文献１には、所望のホームページを見つけ出す手間を簡略化するために、ホームページの開設者（例えば、個人、法人、グループ）の名称、住所、電話番号及びＵＲＬの登録を受け付けるホームページ検索装置が開示されている。
このホームページ検索装置では、ユーザがユーザ端末を操作して、例えば、「電話番号」を入力して、そのユーザ端末から「電話番号」を受信すると、その電話番号に対応するＵＲＬを検索し、そのＵＲＬをユーザ端末に送信するようにしている。
これにより、ユーザ端末では、ユーザがキーワードを適宜設定することなく、所望のホームページを表示することができるようになる。
【０００５】
また、ユーザが印刷物などに紹介されているホームページの閲覧を希望する場合、一般的には、Ｗｅｂブラウザ上で、印刷物などに記述されているホームページのＵＲＬ（Ｕｎｉｆｏｒｍ  Ｒｅｓｏｕｒｃｅ  Ｌｏｃａｔｏｒ）を手入力する必要がある。
以下の特許文献２には、ユーザの手入力の簡単化を図るために、ホームページのＵＲＬに対応する簡易ＵＲＬ（数字で構成された短縮コード）の登録を受け付けるホームページ検索装置が開示されている。
【０００６】
このホームページ検索装置では、ユーザがユーザ端末を操作して簡易ＵＲＬを入力し、そのユーザ端末から簡易ＵＲＬを受信すると、実際のＵＲＬと簡易ＵＲＬの対応関係を参照して、その簡易ＵＲＬを実際のＵＲＬに変換し、実際のＵＲＬをユーザ端末に送信するようにしている。
これにより、ユーザ端末では、ユーザが実際のＵＲＬを手入力することなく、所望のホームページを表示することができるようになる。
【０００７】
【特許文献１】特開２０００−８２０７４号公報（段落番号［０００５］から［０００６］、図１）
【特許文献２】特開２００２−３５１７６４号公報（段落番号［００２３］から［００３０］、図１）
【発明の開示】
【発明が解決しようとする課題】
【０００８】
従来のホームページ検索装置は以上のように構成されているので、ユーザがホームページ開設者の住所や電話番号などを知っていれば、キーワード検索を実施することなく、所望のホームページを検索して閲覧することができる。しかし、ホームページが関連する地域や業種などを知っていても、正確な住所や電話番号などを知らなければ、ホームページを検索することができない課題があった。
また、実際のＵＲＬと簡易ＵＲＬ（数字で構成された短縮コード）の対応関係が登録されている場合、ユーザが実際のＵＲＬを手入力することなく、簡易ＵＲＬを手入力するだけで、所望のホームページを表示することができる。しかし、この場合、地域や業種などを条件とするホームページの検索を行うことができない課題があった。
【０００９】
この発明は上記のような課題を解決するためになされたもので、地域や業種・サービス別のホームページ検索を実施することができるホームページ検索装置を得ることを目的とする。
【課題を解決するための手段】
【００１０】
この発明に係るホームページ検索装置は、ユーザ端末からホームページの検索条件として地域コードが与えられると、ＵＲＬ登録手段によりＵＲＬが登録されているホームページの中から、その地域コードと一致する地域コードが設定されている全てのホームページを検索し、全てのホームページの個別コードをユーザ端末に通知する個別コード通知手段と、ユーザ端末から個別コードが与えられると、ＵＲＬ登録手段によりＵＲＬが登録されているホームページの中から、その個別コードと一致する個別コードが設定されているホームページを検索し、そのホームページのＵＲＬをユーザ端末に通知するＵＲＬ通知手段とを設けるようにしたものである。
【発明の効果】
【００１１】
この発明によれば、ユーザ端末からホームページの検索条件として地域コードが与えられると、ＵＲＬ登録手段によりＵＲＬが登録されているホームページの中から、その地域コードと一致する地域コードが設定されている全てのホームページを検索し、全てのホームページの個別コードをユーザ端末に通知する個別コード通知手段と、ユーザ端末から個別コードが与えられると、ＵＲＬ登録手段によりＵＲＬが登録されているホームページの中から、その個別コードと一致する個別コードが設定されているホームページを検索し、そのホームページのＵＲＬをユーザ端末に通知するＵＲＬ通知手段とを設けるように構成したので、地域別のホームページ検索を実施することができる効果がある。
【発明を実施するための最良の形態】
【００１２】
実施の形態１．
図１はこの発明の実施の形態１によるホームページ検索装置が適用するシステムを示す構成図であり、図において、ホームページ開設者端末１はホームページの開設者が使用するパソコンなどの端末であり、ホームページの開設者がホームページのＵＲＬ（Ｕｎｉｆｏｒｍ  Ｒｅｓｏｕｒｃｅ  Ｌｏｃａｔｏｒ）などをホームページ検索装置３に登録する際に使用する。
【００１３】
ユーザ端末２はユーザが使用するパソコンなどの端末であり、ユーザがホームページ検索装置３から所望のホームページのＵＲＬを取得する際に使用する。
ホームページ検索装置３はインターネット５に接続されており、地域や業種・サービス別のホームページ検索を実施する装置である。
Ｗｅｂサーバ４はインターネット５に接続されており、ホームページを管理しているサーバである。
【００１４】
図２はこの発明の実施の形態１によるホームページ検索装置を示す構成図であり、図において、ネットワークＩ／Ｆ部１１はインターネット５に対するインタフェース処理を実施するネットワーク機器であり、ホームページ開設者端末１及びユーザ端末２と各種の情報を送受信する。
コード設定受付部１２はネットワークＩ／Ｆ部１１がホームページ開設者端末１から送信されたホームページが関連する地域を示す地域コード、ホームページが関連する業種又はサービスを示す分類コード、ホームページを特定する個別コード（個別コードは、ホームページを他のホームページと区別するコードであり、例えば、数字、記号、画像、音声信号などが該当する）を受信すると、その地域コード、分類コード及び個別コードの設定を受け付ける処理を実施する。なお、コード設定受付部１２はコード設定手段を構成している。
【００１５】
ＵＲＬ登録処理部１３はホームページのＵＲＬをと対応付け、これらのコードが対応付いているＵＲＬをデータベース１４に登録する処理を実施する。
コード設定受付部１２により設定が受け付けられた地域コード、分類コード及び個別コードをウェブインデックスナンバー（地域コード＋分類コード＋個別コード）とする。データベース１４はウェブインデックスナンバーを格納するメモリである。
なお、ＵＲＬ登録処理部１３及びデータベース１４からＵＲＬ登録手段が構成されている。
【００１６】
ウェブインデックスナンバー検索処理部１５はネットワークＩ／Ｆ部１１がユーザ端末２から送信されたホームページの検索条件（地域コード、分類コード）を受信すると、データベース１４に格納されているウェブインデックスナンバーの中から、その地域コード及び分類コードと一致する地域コード及び分類コードが対応付けられている全てのウェブインデックスナンバーを検索する処理を実施する。
個別コード通知処理部１６はネットワークＩ／Ｆ部１１を介して、ウェブインデックスナンバー検索処理部１５により検索された全てのウェブインデックスナンバーに対応付けられている個別コードをユーザ端末２に通知する処理を実施する。
なお、ウェブインデックスナンバー検索処理部１５及び個別コード通知処理部１６から個別コード通知手段が構成されている。
【００１７】
ホームページ検索処理部１７はネットワークＩ／Ｆ部１１がユーザ端末２から送信された個別コードを受信すると、データベース１４に格納されているウェブインデックスナンバーの中から、その個別コードと一致する個別コードが対応付けられているウェブインデックスナンバーを検索する処理を実施する。
ＵＲＬ通知処理部１８はネットワークＩ／Ｆ部１１を介して、ホームページ検索処理部１７により検索されたウェブインデックスナンバーに対応付けられているホームページのＵＲＬをユーザ端末２に通知する処理を実施する。
なお、ホームページ検索処理部１７及びＵＲＬ通知処理部１８からＵＲＬ通知手段が構成されている。
【００１８】
図１では、ホームページ検索装置の構成要素であるコード設定受付部１２、ＵＲＬ登録処理部１３、ウェブインデックスナンバー検索処理部１５、個別コード通知処理部１６、ホームページ検索処理部１７及びＵＲＬ通知処理部１８が、それぞれ専用のハードウェア（例えば、ＭＰＵなどを実装している半導体集積回路）で構成されているものを想定しているが、ホームページ検索装置がコンピュータで構成される場合、ホームページ検索装置の構成要素であるコード設定受付部１２、ＵＲＬ登録処理部１３、ウェブインデックスナンバー検索処理部１５、個別コード通知処理部１６、ホームページ検索処理部１７及びＵＲＬ通知処理部１８の処理内容を記述しているプログラムを当該コンピュータのメモリに格納し、当該コンピュータのＣＰＵが当該メモリに格納されているプログラムを実行するようにしてもよい。
図３はこの発明の実施の形態１によるホームページ検索装置の処理内容を示すフローチャートである。
【００１９】
次に動作について説明する。
ホームページ開設者は、ホームページを開設する際、ホームページ開設者端末１を操作して、ホームページのＵＲＬなどをホームページ検索装置３に登録する。
即ち、ホームページ開設者端末１は、ホームページ開設者からホームページの登録指示を受けると、ホームページの登録要求をホームページ検索装置３に送信する。
【００２０】
ホームページ検索装置３のコード設定受付部１２は、ネットワークＩ／Ｆ部１１がホームページ開設者端末１から送信されたホームページの登録要求を受信すると、ネットワークＩ／Ｆ部１１を介して、登録受付画面の画面データをホームページ開設者端末１に送信する。
ここで、図４は登録受付画面の一例を示す説明図である。
【００２１】
ホームページ開設者端末１は、ホームページ検索装置３から送信された登録受付画面の画面データを受信すると、その画面データにしたがって登録受付画面をディスプレイに表示する。
ホームページ開設者は、登録受付画面がディスプレイに表示されると、ホームページ開設者端末１を操作して、ホームページのＵＲＬを入力するとともに、ホームページが関連する地域（例えば、目黒区、世田谷区、港区など）を選択し、また、ホームページが関連する業種又はサービス（例えば、建設業、製造業、金融業、旅行業、飲食、介護、教育など）を選択する。
【００２２】
ホームページ開設者端末１は、ホームページ開設者がホームページのＵＲＬを入力すると、そのホームページのＵＲＬをホームページ検索装置３に送信する。
また、ホームページ開設者端末１は、ホームページ開設者が、ホームページが関連する地域と業種又はサービスを選択すると、その地域を示す地域コードと、その業種又はサービスを示す分類コードをホームページ検索装置３に送信する。
ここでは、ホームページ開設者が、ホームページが関連する地域や、ホームページが関連する業種又はサービスを選択するものについて示したが、ホームページ開設者が地域コードや分類コードを直接入力するようにしてもよい。
【００２３】
また、ホームページ開設者は、ホームページ開設者端末１を操作して、ホームページを特定する個別コード（例えば、数字、記号、画像、音声信号）を指定する。
ここで、個別コードは、ホームページを他のホームページと区別するユニークなコードであり、ホームページと個別コードは１対１で対応するものである。
したがって、個別コードは、ホームページを識別又は連想できるものである必要があるので、例えば、ホームページが“フルーツ”の販売を目的とするものであれば、個別コードとして、例えば、フルーツの販売を連想させる“商品陳列棚に置かれているメロン”の画像を利用すればよい。
また、ホームページが“楽器”の販売を目的とするものであれば、個別コードとして、例えば、“販売する楽器の音色”を利用すればよい。
ホームページ開設者端末１は、ホームページ開設者がホームページを特定する個別コードを指定すると、その個別コードをホームページ検索装置３に送信する。
【００２４】
ホームページ検索装置３のコード設定受付部１２は、上記のように、登録受付画面の画面データをホームページ開設者端末１に送信したのち、ネットワークＩ／Ｆ部１１がホームページ開設者端末１から送信されたホームページのＵＲＬ、地域コード、分類コード及び個別コードを受信すると、そのホームページのＵＲＬ、地域コード、分類コード及び個別コードの設定を受け付けて、そのホームページのＵＲＬ、地域コード、分類コード及び個別コードをＵＲＬ登録処理部１３に出力する。
【００２５】
ホームページ検索装置３のＵＲＬ登録処理部１３は、コード設定受付部１２からホームページのＵＲＬ、地域コード、分類コード及び個別コードを受けると、そのホームページのＵＲＬを地域コード、分類コード及び個別コードと対応付けて、ウェブインデックスナンバーを生成する。
ウェブインデックスナンバー＝ＵＲＬ＋地域コード＋分類コード＋個別コード
ＵＲＬ登録処理部１３は、ウェブインデックスナンバーを生成すると、そのウェブインデックスナンバーをデータベース１４に登録する。
【００２６】
ユーザは、特定地域における特定業種又はサービスに関連するホームページの検索を希望する場合、ユーザ端末２を操作して、ホームページの検索を指示する。
ユーザ端末２は、ユーザからホームページの検索指示を受けると、ホームページの検索要求をホームページ検索装置３に送信する。
【００２７】
ホームページ検索装置３のウェブインデックスナンバー検索処理部１５は、ネットワークＩ／Ｆ部１１がユーザ端末２から送信されたホームページの検索要求を受信すると、ネットワークＩ／Ｆ部１１を介して、検索受付画面の画面データをユーザ端末２に送信する。
ここで、図５は検索受付画面の一例を示す説明図である。
【００２８】
ユーザ端末２は、ホームページ検索装置３から送信された検索受付画面の画面データを受信すると、その画面データにしたがって検索受付画面をディスプレイに表示する。
ユーザは、検索受付画面がディスプレイに表示されると、ユーザ端末２を操作して、ホームページが関連する地域（例えば、目黒区、世田谷区、港区など）を選択し、また、ホームページが関連する業種又はサービス（例えば、建設業、製造業、金融業、旅行業、飲食、介護、教育など）を選択する。
【００２９】
ユーザ端末２は、ユーザが、ホームページが関連する地域と業種又はサービスを選択すると、その地域を示す地域コードと、その業種又はサービスを示す分類コードとをホームページの検索条件としてホームページ検索装置３に送信する。
ここでは、ユーザが、ホームページが関連する地域や、ホームページが関連する業種又はサービスを選択するものについて示したが、ユーザが地域コードや分類コードを直接入力するようにしてもよい。
【００３０】
ホームページ検索装置３のウェブインデックスナンバー検索処理部１５は、ネットワークＩ／Ｆ部１１がユーザ端末２から送信されたホームページの検索条件（地域コード、分類コード）を受信すると（ステップＳＴ１）、データベース１４に格納されているウェブインデックスナンバーの中から、その地域コードと一致する地域コードが対応付けられており、かつ、その分類コードと一致する分類コードが対応付けられている全てのウェブインデックスナンバーを検索する（ステップＳＴ２）。
例えば、ユーザ端末２から送信された地域コードが“目黒区”を示し、分類コードが“旅行業”を示していれば、“目黒区”を示す地域コードと、“旅行業”を示す分類コードが対応付けられている全てのウェブインデックスナンバーを検索する。
【００３１】
ホームページ検索装置３の個別コード通知処理部１６は、ウェブインデックスナンバー検索処理部１５が検索条件に該当するウェブインデックスナンバーを検索すると、ネットワークＩ／Ｆ部１１を介して、検索された全てのウェブインデックスナンバーに対応付けられている個別コードをユーザ端末２に通知する（ステップＳＴ３）。
即ち、個別コード通知処理部１６は、ウェブインデックスナンバー検索処理部１５により検索された全てのウェブインデックスナンバーに対応付けられている個別コードを一覧化して、任意の個別コードの選択を受け付ける選択受付画面の画面データをユーザ端末２に送信する。
ここで、図６は選択受付画面の一例を示す説明図である。
【００３２】
ユーザ端末２は、ホームページ検索装置３から送信された選択受付画面の画面データを受信すると、その画面データにしたがって選択受付画面をディスプレイに表示する。
ユーザは、選択受付画面がディスプレイに表示されると、ユーザ端末２を操作して、ホームページを特定する個別コード（例えば、数字、記号、画像、音声信号）を選択する。
【００３３】
ユーザ端末２は、ユーザがホームページを特定する個別コードを選択すると、その個別コードをホームページ検索装置３に送信する。
ここでは、ユーザがホームページを特定する個別コードを選択するものについて示したが、ユーザが個別コードを直接入力するようにしてもよい。
したがって、例えば、印刷物などにホームページが紹介されているような場合において、その印刷物などに個別コードが記述されていれば、ユーザがその個別コードをユーザ端末２に入力することができる。
【００３４】
ホームページ検索装置３のホームページ検索処理部１７は、ネットワークＩ／Ｆ部１１がユーザ端末２から送信された個別コードを受信すると（ステップＳＴ４）、データベース１４に格納されているウェブインデックスナンバーの中から、その個別コードと一致する個別コードが対応付けられているウェブインデックスナンバーを検索する。
例えば、ユーザ端末２から送信された個別コードが“商品陳列棚に置かれているメロン”の画像であれば、その画像が個別コードとして対応付けられているウェブインデックスナンバーを検索する。
【００３５】
ホームページ検索装置３のＵＲＬ通知処理部１８は、ホームページ検索処理部１７が一致する個別コードが対応付けられているウェブインデックスナンバーを検索すると、ネットワークＩ／Ｆ部１１を介して、そのウェブインデックスナンバーに対応付けられているホームページのＵＲＬをユーザ端末２に通知する（ステップＳＴ５）。
【００３６】
ユーザ端末２は、ホームページ検索装置３から送信されたホームページのＵＲＬを受信すると、そのホームページのＵＲＬをディスプレイに表示する。
これにより、ユーザは、ディスプレイに表示されているホームページのＵＲＬを確認し、そのホームページの閲覧を希望すれば、ユーザ端末２を操作して、そのホームページの閲覧を指示する。
ユーザ端末２は、ユーザからホームページの閲覧指示を受けると、そのＵＲＬを使用して、Ｗｅｂサーバ４にアクセスし、Ｗｅｂサーバ４が管理しているホームページを表示する。
【００３７】
以上で明らかなように、この実施の形態１によれば、ユーザ端末２からホームページの検索条件として地域コードと分類コードが与えられると、データベース１４に格納されているウェブインデックスナンバーの中から、その地域コードと一致する地域コードが対応付けられており、かつ、その分類コードと一致する分類コードが対応付けられている全てのウェブインデックスナンバーを検索するウェブインデックスナンバー検索処理部１５と、ウェブインデックスナンバー検索処理部１５により検索された全てのウェブインデックスナンバーに対応付けられている個別コードをユーザ端末２に通知する個別コード通知処理部１６と、ユーザ端末２から送信された個別コードを受信すると、データベース１４に格納されているウェブインデックスナンバーの中から、その個別コードと一致する個別コードが対応付けられているウェブインデックスナンバーを検索するホームページ検索処理部１７と、ホームページ検索処理部１７により検索されたウェブインデックスナンバーに対応付けられているホームページのＵＲＬをユーザ端末２に通知するＵＲＬ通知処理部１８とを設けるように構成したので、地域や業種・サービス別のホームページ検索を実施することができる効果を奏する。
【００３８】
また、ユーザが印刷物などに紹介されているホームページの閲覧を希望する場合においても、その印刷物などに記述されているウェブインデックスナンバーをユーザ端末２に入力して、ユーザ端末２から個別コードをホームページ検索装置３に送信すれば、ホームページ検索装置３からホームページのＵＲＬを入手することができるため、面倒なＵＲＬの手入力を行うことなく、簡単にホームページを閲覧することができる効果を奏する。
【００３９】
また、この実施の形態１によれば、コード設定受付部１２がホームページを特定する個別コードとして、そのホームページを他のホームページと区別する数字、記号、画像又は音声信号の設定を受け付けるように構成したので、ホームページを容易に識別又は連想させることができる個別コードを設定することができる効果を奏する。
【００４０】
実施の形態２．
上記実施の形態１では、ホームページ検索装置３のネットワークＩ／Ｆ部１１がユーザ端末２から送信されたホームページの検索条件（地域コード、分類コード）を受信すると、ウェブインデックスナンバー検索処理部１５がデータベース１４に格納されているウェブインデックスナンバーの中から、その地域コードと一致する地域コードが対応付けられており、かつ、その分類コードと一致する分類コードが対応付けられている全てのウェブインデックスナンバーを検索するものについて示したが、地域コード又は分類コードの少なくとも一方が一致しているウェブインデックスナンバーのすべて検索するようにしてもよい。
【００４１】
また、ユーザ端末２がホームページの検索条件として、地域コードと分類コードをホームページ検索装置３に送信するものについて示したが、ホームページの検索条件として、地域コード又は分類コードのいずれか一方をホームページ検索装置３に送信するようにしてもよい。
この場合、ホームページ検索装置３のウェブインデックスナンバー検索処理部１５は、データベース１４に格納されているウェブインデックスナンバーの中から、ユーザ端末２から送信された地域コードと一致する地域コードが対応付けられている全てのウェブインデックスナンバー、または、ユーザ端末２から送信された分類コードと一致する分類コードが対応付けられている全てのウェブインデックスナンバーを検索するようにする。
【図面の簡単な説明】
【００４２】
【図１】この発明の実施の形態１によるホームページ検索装置が適用するシステムを示す構成図である。
【図２】この発明の実施の形態１によるホームページ検索装置を示す構成図である。
【図３】この発明の実施の形態１によるホームページ検索装置の処理内容を示すフローチャートである。
【図４】登録受付画面の一例を示す説明図である。
【図５】検索受付画面の一例を示す説明図である。
【図６】選択受付画面の一例を示す説明図である。
【符号の説明】
【００４３】
１  ホームページ開設者端末
２  ユーザ端末
３  ホームページ検索装置
４  Ｗｅｂサーバ
５  インターネット
１１  ネットワークＩ／Ｆ部
１２  コード設定受付部（コード設定手段）
１３  ＵＲＬ登録処理部（ＵＲＬ登録手段）
１４  データベース（ＵＲＬ登録手段）
１５  ウェブインデックスナンバー検索処理部（個別コード通知手段）
１６  個別コード通知処理部（個別コード通知手段）
１７  ホームページ検索処理部（ＵＲＬ通知手段）
１８  ＵＲＬ通知処理部（ＵＲＬ通知手段）
【図１】
2009058984.tif 000003
【図２】
2009058984.tif 000004
【図３】
2009058984.tif 000005
【図４】
2009058984.tif 000006
【図５】
2009058984.tif 000007
【図６】
2009058984.tif 000008